(57)【要約】【課題】高齢者や目の不自由な者であっても、プラグの電極をコンセントの差込口に容易に差し込むことができるコンセントを提供することにある。【解決手段】一端に矩形状の大型開口部１２を、他端にプラグ３０の先端面の面積より若干大きい小型底壁部１３をそれぞれ備えた截頭四角錐状の傾斜側壁部１１Ａ〜１１Ｄを有し、前記小型底壁部の中心に前記プラグ３０の電極３１ａ，３１ｂが差し込まれる一対の長孔１３ａ，１３ｂを形成したガイド部材１０と、該ガイド部材の前記小型底壁部の裏面側に固定された前記電極が差し込まれる一対の差込口２１ａ，２１ｂを有するコンセントボックス２０を備えた壁内に埋め込まれるコンセント。【選択図】　　　　図１
2004146248.tif 000002
【特許請求の範囲】
【請求項１】
建物の壁内に埋め込まれるコンセントであって、一端に矩形状の大型開口部を、他端にプラグの先端面の面積より若干大きい小型底壁部をそれぞれ備えた截頭四角錐状の傾斜側壁部を有し、前記小型底壁部の中心に前記プラグの電極が差し込まれる一対の長孔を形成したガイド部材と、該ガイド部材の前記小型底壁部の裏面側に固定され、前記プラグの先端面より突出する電極が差し込まれる一対の差込口が前記小型底壁部の長孔に夫々一致するコンセントボックスとを備えたことを特徴とするコンセント。
【請求項２】
建物の壁内に埋め込まれるコンセントであって、一端に矩形状の大型開口部を、他端にプラグの先端面の面積より若干大きい小型開口部をそれぞれ備えた截頭四角錐状の傾斜側壁部を有するガイド部材と、前記小型開口部に固定され、前記プラグの先端面より突出する電極が差し込まれる一対の差込口が前記小型開口部の中心に位置するコンセントボックスとを備えたことを特徴とするコンセント。
【請求項３】
前記小型底壁部の表面に、前記一対の長孔に向かって下降傾斜する傾斜面を形成したことを特徴とする請求項１記載のコンセント。
【請求項４】
二以上の前記ガイド部材を縦又は横に連成し、各ガイド部材の前記小型底壁部又は小型開口部に前記コンセントボックスを夫々固定したことを特徴とする請求項１〜３のうちいずれか一つに記載のコンセント。
【請求項５】
前記ガイド部材の大型開口部を覆う開閉自在な蓋部材を設けたことを特徴とする請求項１〜４のうちいずれか一つに記載のコンセント。
【発明の詳細な説明】
【０００１】
【発明の属する技術分野】
本発明は壁埋込式のコンセントに関し、特に、高齢者や目の不自由な者、その他体の不自由な者でもプラグの差し込みを容易かつ確実に行うことができるバリアフリー型のコンセントに関する。
【０００２】
【従来の技術】
図８は従来の一般的な壁埋込式コンセントを示すもので、該壁埋込式コンセント１００は専らプレート１０１とコンセントボックス１０２とからなっている。そして、前記プレート１０１は合成樹脂製又は金属製の板状体であり、その中心には、コンセントボックス１０２を固定するための取付穴１０１ａが穿設してある。一方、コンセントボックス１０２の内部には電源に接続した図示しない内部電極が収納されており、その正面には、図示しないプラグの電極が差し込まれる一対の差込口１０２ａ，１０２ｂが設けてある。
【０００３】
そして、プレート１０１の取付穴１０１ａにコンセントボックス１０２を固定した後、前記プレート１０１を図示しない建物の壁面に設けた矩形穴に固定することにより壁埋込式コンセント１００を構成している。このような壁埋込式コンセント１００では、一対の差込口１０２ａ，１０２ｂに前記プラグの電極を挿入することにより交流１００Ｖの電源を取り出し、種々の電気製品や電気装置に電源を供給している。
【０００４】
【発明が解決しようとする課題】
しかし、上述した従来の壁埋込式コンセント１００では、コンセントボックス１０２の差込口１０２ａ，１０２ｂの位置を視認し、何らよりどころなく直接前記プラグの電極を差込口１０２ａ，１０２ｂに差し込まなければならず、高齢者や目の不自由な者、その他体の不自由な者にとって困難であるという問題点があった。
【０００５】
すなわち、壁埋込式コンセント１００は、通常は壁面の低い位置（例えば、床面近傍）に設置されることに加え、この壁埋込式コンセント１００の差込口１０２ａ，１０２ｂが縦７ｍｍ，横２ｍｍ程度の小さな長孔にすぎず、視力の低下した高齢者や目の不自由な者にとって差込口１０２ａ，１０２ｂを視認することは容易でなかった。
【０００６】
また、十分な視力を備え、差込口１０２ａ，１０２ｂの視認がさほど困難でない場合であっても、壁面の低い位置にある小さな差込口１０２ａ，１０２ｂに、何らよりどころなく直接前記プラグの電極を差し込むことは、体の自由が利かない者にとって容易ではなかった。このような状況において、高齢者等は、いきおい前記プラグの電極や差込口１０２ａ，１０２ｂに指を触れて差し込みの拠とするが、これは感電の危険性が極めて高い行為である。
【０００７】
なお、実開平７−４４３８４号では、図９（ａ），（ｂ）に示すような壁埋込式コンセント２００が開示されている。同図において、壁埋込式コンセント２００は全体が略直方体形状であって、底壁部２１２から外側に広がるように傾斜する傾斜側壁部２１１を有する内部基体２１０を備え、該内部基体２１０の底壁部２１２に二つのコンセントボックス２２０を固定した構成となっている。
【０００８】
しかし、この壁埋込式コンセント２００において、内部基体２１０の傾斜側壁２１１を底壁部２１２から外側に広がるように傾斜させているのは、プラグ２３０を把持した指先を内部基体２１０の奥まで入り易くするためのものであり、プラグ２３０の電極２３１ａ，２３１ｂをコンセントボックス２２０の差込口２２１ａ，２２１ｂに案内するためのものではない。
【０００９】
このため、内部基体２１０の傾斜側壁部２１１に沿ってプラグ２３０の各電極２３１ａ，２３１ｂを移動させたところで、各電極２３１ａ，２３１ｂは底壁部２１２までしかガイドされず、その後、縦方向に広い底壁部２１２上で電極２３１ａ，２３１ｂを移動させつつ差込口２２１ａ，２２１ｂを探す必要がある。
【００１０】
この場合、壁埋込式コンセント２００自体が壁面の低い位置に埋設されていること、及び内部基体２１０の底壁部２１２が壁面より奥まっていることより、差込口２２１ａ，２２１ｂを容易に視認することができず、上述した従来の一般的な壁埋込式コンセント１００以上に、プラグ２３０の電極２３１ａ，２３１ｂを差込口２２１ａ，２２１ｂに差し込むことが困難であるという問題がある。
【００１１】
本発明は、上記従来の問題点に鑑みてなされたものであり、高齢者や目の不自由な者、その他体の不自由な者であっても、プラグの電極をコンセントの差込口に容易に差し込むことができるバリアフリー型のコンセントを提供することを目的としたものである。
【００１２】
【課題を解決するための手段】
上記の目的を達成するため、本発明のコンセントは、建物の壁内に埋め込まれるコンセントであって、一端に矩形状の大型開口部を、他端にプラグの先端面の面積より若干大きい小型底壁部をそれぞれ備えた截頭四角錐状の傾斜側壁部を有し、前記小型底壁部の中心に前記プラグの電極が差し込まれる一対の長孔を形成したガイド部材と、該ガイド部材の前記小型底壁部の裏面側に固定され、前記プラグの先端面より突出する電極が差し込まれる一対の差込口が前記小型底壁部の長孔に夫々一致するコンセントボックスとを備えた構成としてある。
【００１３】
また、上記目的を達成するため、本発明のコンセントは、建物の壁内に埋め込まれるコンセントであって、一端に矩形状の大型開口部を、他端にプラグの先端面の面積より若干大きい小型開口部をそれぞれ備えた截頭四角錐状の傾斜側壁部を有するガイド部材と、前記小型開口部に固定され、前記プラグの先端面より突出する電極が差し込まれる一対の差込口が前記小型開口部の中心に位置するコンセントボックスとを備えた構成としてある。
【００１４】
好ましくは、前記小型底壁部の表面に、一対の前記長孔に向かって下降傾斜する傾斜面を形成した構成、又は、二以上の前記ガイド部材を縦又は横に連成し、各ガイド部材の前記小型底壁部又は小型開口部に前記コンセントボックスを夫々固定した構成、若しくは、前記ガイド部材の大型開口部を覆う開閉自在な蓋部材を設けた構成とする。
【００１５】
【発明の実施の形態】
以下、本発明の第１実施形態に係るコンセントについて、図１及び図２を参照しつつ説明する。図１（ａ）において、本実施形態のコンセント１は、ガイド部材１０とコンセントボックス２０とで構成してある。前記ガイド部材１０は、図１（ｂ），（ｃ）に示すように、四つ傾斜側壁部１１Ａ，１１Ｂ，１１Ｃ，１１Ｄを有する截頭四角錐状のもので、これら傾斜側壁部１１Ａ〜１１Ｄの一端に大型開口部１２を形成するとゝもに、他端に小型底壁部１３を設けた構成としてある。
【００１６】
前記四面の傾斜側壁部１１Ａ〜１１Ｄはその傾斜面によってプラグ３０の電極３１ａ，３１ｂを小型底壁部１３までガイドする役割を果たすものであり、前記大型開口部１２の上下左右いずれの位置からプラグ３０を差し込んだ場合でも、電極３１ａ，３１ｂを小型底壁部１３に到達させることができる。
【００１７】
また、前記大型開口部１２は、傾斜側壁部１１Ａ〜１１Ｄにガイドとしての十分な傾き角を持たせるために小型底壁部１３より大きくなければならないが、大型開口部１２を大きくする程ガイドの役割を果たす傾斜側壁部１１Ａ〜１１Ｄの面積が広くなり、高齢者等のプラグ３０の差し込みが容易となる。
【００１８】
そして、前記小型底壁部１３は、プラグ３０の先端面の縦幅・横幅より若干大きくしてあり、該小型底壁部１３の中心にはプラグ３０の電極３１ａ，３１ｂが差し込まれる一対の長孔１３ａ，１３ｂが形成してある。ここで、小型底壁部１３の面積を狭くする程、該小型底壁部１３に到達したプラグ３０の電極３１ａ，３１ｂの移動が制限され、これら電極３１ａ，３１ｂが長孔１３ａ，１３ｂに挿入され易くなる。なお、図中、１４，１４は弾性を有する一対の鉤爪を対向させた係止部ガイド部材であり、左右両側の傾斜側壁部１１Ｂ，１１Ｄに一体成形したものである。
【００１９】
一方、コンセントボックス２０の正面にはプラグ３０の電極３１ａ，３１ｂが差し込まれる一対の差込口２１ａ，２１ｂ（図２参照）が設けてあり、また両側面には略正方形状の係止凸部２２，２２が夫々突設してある。
【００２０】
これらガイド部材１０とコンセントボックス２０は互いの係止部１４，１４と係止凸部２２，２２を夫々係止させることにより、ガイド部材１０の前記小型底壁部１３の裏側にコンセントボックス２０が固定され、該コンセントボックス２０の差込口２１ａ，２１ｂが小型底壁部１３の長孔１３ａ，１３ｂに一致し、コンセント１を形成する。そして、該コンセント１は、図示しない建物の壁面の低い位置（例えば、床面近傍）に埋設される。
【００２１】
次に、上記構成からなる本実施形態のコンセント１におけるプラグ３０の差込動作について、図２（ａ）〜（ｄ）を参照しつつ説明すると、プラグ３０を差し込む場合は、図２（ａ）に示すように、プラグ３０の電極３１ａ，３１ｂを、例えば、ガイド部材１０の下側の傾斜側壁部１１Ａに沿って摺動させる。すると、図２（ｂ）に示すように、該傾斜側壁部１１Ａによって電極３１ａ，３１ｂがガイド部材１０の小型底壁部１２までガイドされる。
【００２２】
次いで、プラグ３０の電極３１ａ，３１ｂを小型底壁部１３の表面に当接させつつ、該小型底壁部１３の狭い面積の範囲内で、該プラグ３０を上及び左右方向に若干移動させると、図２（ｃ）に示すように、電極３１ａ，３１ｂが小型底壁部１２の長孔１３ａ，１３ｂへとガイドされる。この状態から更にプラグ３０を奥へ押し込むと、図２（ｄ）に示すように、電極３１ａ，３１ｂがコンセントボックス２０の差込口２１ａ，２１ｂに差し込まれる。
【００２３】
なお、本実施形態では、プラグ３０の電極３１ａ，３１ｂを傾斜側壁部１１Ａに沿って摺動させた場合の動作について説明したが、プラグ３０の電極３１ａ，３１ｂを他の傾斜側壁部１１Ｂ〜１１Ｄのいずれかに沿って摺動させた場合でも同様の結果となる。
【００２４】
このような本実施形態のコンセント１によれば、プラグ３０の電極３１ａ，３１ｂがガイド部材１０の傾斜側壁部１１Ａ〜１１Ｄのいずれかによって小型底壁部１５まで案内されるので、高齢者や目の不自由な者，その他体の不自由な者であっても、該小型底壁部１５の狭い面積の範囲内でプラグ３０を若干移動させるだけで、該プラグ３０の電極３１ａ，３１ｂをコンセントボックス２０の差込口２１ａ，２１ｂに容易に差し込むことができる。
【００２５】
次に、本発明の第２実施形態に係るコンセントについて、図３及び図４を参照しつつ説明すると、図３（ａ），（ｂ），（ｃ）において、本実施形態のコンセント２は、ガイド部材１０の小型底壁部１５の表面に一対の長孔１５ａ，１５ｂに向かって下降傾斜する傾斜面１５Ａ，１５Ｂ，１５Ｃ，１５Ｄを形成した構成としてある。なお、その他の構成は第１実施形態と同様であり、同一の符号を付して詳細な説明は省略する。
【００２６】
次に、上記構成からなる本実施形態のコンセント２におけるプラグ３０の差込動作について説明すると、図４（ａ）に示すように、プラグ３０を差し込む場合は、第１実施形態と同様、プラグ３０の電極３１ａ，３１ｂを、例えば、ガイド部材１０の下側の傾斜側壁部１１Ａに沿って摺動させる。すると、図４（ｂ）に示すように、傾斜側壁部１１Ａによって電極３１ａ，３１ｂがガイド部材１０の小型底壁部１５までガイドされる。
【００２７】
ここで、第１実施形態と異なり、小型底壁部１５までガイドされたプラグ３０の電極３１ａ，３１ｂはその後、図４（ｃ）に示すように、小型底壁部１５の傾斜面１５Ａによって長孔１５ａ，１５ｂへとガイドされる。そして、この状態から更にプラグ３０を奥へ押し込むと、図４（ｄ）に示すように、電極３１ａ，３１ｂが、コンセントボックス２０の差込口２１ａ，２１ｂに差し込まれる。
【００２８】
なお、本実施形態では、プラグ３０の電極３１ａ，３１ｂが小型底壁部１５の傾斜面１５Ａによって長孔１５ａ，１５ｂへと案内される場合について説明したが、小型底壁部１５の他の傾斜面１５Ｂ，１５Ｃ，１５Ｄも同様に、プラグ３０の電極３１ａ，３１ｂを長孔１５ａ，１５ｂにガイドする。
【００２９】
このような本実施形態のコンセント２によれば、プラグ３０の電極３１ａ，３１ｂがガイド部材１０の傾斜側壁部１１Ａ〜１１Ｄのいずれかによって小型底壁部１５までガイドされた後、該小型底壁部１５の傾斜面１５Ａ〜１５Ｄのいずれかによってコンセントボックス２０の差込口２１ａ，２１ｂまでガイドされるので、高齢者や目の不自由な者その他体の不自由な者であっても、プラグ３０の電極３１ａ，３１ｂをコンセントボックス２０の差込口２１ａ，２１ｂに容易かつ確実に差し込むことができる。
【００３０】
次に、本発明の第３実施形態に係るコンセントについて、図５及び図６を参照しつつ説明すると、図５（ａ），（ｂ），（ｃ）において、本実施形態のコンセント３は、ガイド部材１０の傾斜側壁部１１Ａ〜１１Ｂの他端に底壁部を設けずに、プラグ３０の縦横幅より若干大きい小型開口部１６を形成した構成としてあり、該小型開口部１６に固定されたコンセントボックス２０の差込口２１ａ，２１ｂが該小型開口部１６の中心に位置するようになっている。
【００３１】
上記構成からなる本コンセント３によっても、第１実施形態と同様の差込動作をすることができる。すなわち、図６（ａ）に示すように、プラグ３０の電極３１ａ，３１ｂを、例えば、ガイド部材１０の傾斜側壁部１１Ａに沿って摺動させると、図６（ｂ）に示すように、該傾斜側壁部１１Ａによって電極３１ａ，３１ｂがガイド部材１０の小型開口部１６までガイドされる。
【００３２】
次いで、プラグ３０の電極３１ａ，３１ｂを小型開口部１６の表面に当接させつつ、該小型開口部１６の狭い面積の範囲内で、該プラグ３０を上及び左右方向に若干移動させると、図６（ｃ）に示すように、電極３１ａ，３１ｂがコンセントボックス２０の差込口２１ａ，２１ｂへとガイドされ、この状態から更にプラグ３０を奥へ押し込むと、図６（ｄ）に示すように、電極３１ａ，３１ｂが、コンセントボックス２０の差込口２１ａ，２１ｂに差し込まれる。
【００３３】
次に、本発明の第４実施形態に係るコンセントについて、図７を参照しつつ説明すると、同図において、本実施形態のコンセント４は、第１ガイド部材４１と第２ガイド部材４２を縦方向に連成したガイド部材４０を備え、これら第１及び第２ガイド部材４１，４２の各小型底壁部４１ｂ，４２ｂにコンセントボックス２０，２０を夫々固定した構成としてある。
【００３４】
また、第１及び第２ガイド部材４１，４２の各大型開口部４１ａ，４２ａには各大型開口部４１ａ，４２ａを覆う蓋部材５１，５２が取り付けてある。これら蓋部材５１，５２は、その両縁部に設けた摺動突起５１ａ，５１ｂをガイド部材４０の正面両側に形成した摺動溝４０ａ，４０ｂに嵌合させることにより、上下に開閉自在となっている。
【００３５】
このような本実施形態のコンセント４によれば、第１および第２ガイド部材４１，４２を連成したことにより、一般的な壁埋込式コンセントのように複数の電源を取り出すことができる。また、蓋部材５１，５２を設けたことにより、コンセント不使用時の外観向上、第１および第２ガイド部材４１，４２内における塵埃の堆積防止及び感電防止を図ることができる。なお、本実施形態では、第１及び第２ガイド部材４１，４２を縦に連成した構成としたが、二以上のガイド部材を横方向に連成した構成としてもよい。
【００３６】
【発明の効果】
以上のように、本願発明の請求項１又は２記載のコンセントによれば、プラグの電極がガイド部材の傾斜側壁部によって小型底壁部又は小型開口部まで案内されるので、高齢者や目の不自由な者、その他体の不自由な者であっても、該小型底壁部又は小型開口部の狭い面積の範囲内でプラグを若干移動させるだけで、該プラグの電極をコンセントボックスの差込口に容易に差し込むことができる。
【００３７】
また、本願発明の請求項３記載のコンセントによれば、プラグの電極がガイド部材の傾斜側壁部によって小型底壁部まで案内された後、該小型底壁部の傾斜面のいずれかによってコンセントボックスの差込口まで案内されるので、高齢者や目の不自由な者、その他体の不自由な者であっても、プラグの電極をコンセントボックスの差込口に容易かつ確実に差し込むことができる。
【００３８】
更に、本願発明の請求項４記載のコンセントによれば、二以上のガイド部材を連成したことにより、一般的な壁埋込式コンセントのように複数の電源を取り出すことができる。そして更に、本願発明の請求項５記載のコンセントによれば、蓋部材を設けたことにより、コンセント不使用時における外観の向上、ガイド部材内における塵埃の堆積防止及び感電防止を図ることができる、といった諸効果がある。
【図面の簡単な説明】
【図１】本発明の第１実施形態に係るコンセントを示すもので、同図（ａ）は斜視図、同図（ｂ）はガイド部材の縦断面図，同図（ｃ）はガイド部材の正面図である。
【図２】同図（ａ）〜（ｄ）は上記コンセントにプラグを差し込む際の一部断面作用説明図である。
【図３】本発明の第２実施形態に係るコンセントを示すもので、同図（ａ）は斜視図、同図（ｂ）はガイド部材の縦断面図，同図（ｃ）はガイド部材の正面図である。
【図４】同図（ａ）〜（ｄ）は上記コンセントにプラグを差し込む際の一部断面作用説明図である。
【図５】本発明の第３実施形態に係るコンセントを示すもので、同図（ａ）は斜視図、同図（ｂ）はガイド部材の縦断面図，同図（ｃ）はガイド部材の正面図である。
【図６】同図（ａ）〜（ｄ）は上記コンセントにプラグを差し込む際の一部断面作用説明図である。
【図７】本発明の第４実施形態に係るコンセントの斜視図である。
【図８】従来の一般的な壁埋込式コンセントの斜視図である。
【図９】その他従来の壁埋込式コンセントを示すものであり、同図（ａ）は縦断面図、同図（ｂ）は横断面図である。
【符号の説明】
１，２，３，４　コンセント
１０，４０　ガイド部材
４１　第１ガイド部材
４２　第２ガイド部材
１１Ａ，１１Ｂ，１１Ｃ，１１Ｄ　傾斜側壁部
１２，４１ａ，４２ａ　大型開口部
１３，１５，４１ｂ，４２ｂ　小型底壁部
１３ａ，１３ｂ，１５ａ，１５ｂ　長孔
１５Ａ，１５Ｂ，１５Ｃ，１５Ｄ　傾斜面
１６　小型開口部
２０　コンセントボックス
２１ａ，２１ｂ　差込口
２２　係止凸部
３０　プラグ
３１ａ，３１ｂ　電極
５１，５２　蓋部材
【図１】
2004146248.tif 000003
【図２】
2004146248.tif 000004
【図３】
2004146248.tif 000005
【図４】
2004146248.tif 000006
【図５】
2004146248.tif 000007
【図６】
2004146248.tif 000008
【図７】
2004146248.tif 000009
【図８】
2004146248.tif 000010
【図９】
2004146248.tif 000011